(57)【要約】本発明は、好ましくは、高さ調整自在の肘掛け支柱（２）および前記肘掛け支柱（２）に位置決めされるアーム支持体（４）を有する、特にオフィス椅子用の肘掛け（１）に関する。上記タイプの肘掛け（１）の操作を向上させるため、前記肘掛け支柱（２）には、前記アーム支持体（４）のための回転、長手方向および横方向調整機構（３９，３５，１６）を有する多機能ベアリングヘッドが設けられている。
2008535595.tif 000002
【特許請求の範囲】
【請求項１】
好ましくは、高さ調整自在の肘掛け支柱（２）および前記肘掛け支柱（２）に位置決めされるアーム支持体（４）を有する、特にオフィス椅子用の肘掛け（１）であって、
前記肘掛け支柱（２）に配置され、かつ、前記アーム支持体（４）のための回転、長手方向および横方向調整機構（３９，３５，１６）を有する多機能ベアリングヘッドを有することを特徴とする肘掛け（１）。
【請求項２】
前記回転および／または長手方向および／または横方向調整機構は、ロック機構であることを特徴とする請求項１に記載の肘掛け（１）。
【請求項３】
前記回転および／または長手方向および／または横方向調整機構は、解除ボタンフリーであることを特徴とする請求項１又は請求項２に記載の肘掛け（１）。
【請求項４】
前記横方向調整機構（１６）は、プラットホーム部（１７）および前記プラットホーム部（１７）に対して横方向に移動する支持要素（１８）を有することを特徴とする請求項１〜３のいずれか１項に記載の肘掛け（１）。
【請求項５】
前記長手方向調整機構（３５）を支持する支持要素（１８）を有することを特徴とする請求項４に記載の肘掛け（１）。
【請求項６】
前記長手方向調整機構（３５）は、リニアスライドガイド（３４，３８）を有することを特徴とする請求項１〜５いずれか１項に記載の肘掛け（１）。
【請求項７】
前記リニアスライドガイド（３４，３８）は、ベアリングブロック（３８）が配置される長手方向ガイドフレーム（３４）を有することを特徴とする請求項６に記載の肘掛け（１）。
【請求項８】
前記回転調整機構（３９）は、前記ベアリングブロック（３８）に配置されるロック機構（４８，５２）を有することを特徴とする請求項７に記載の肘掛け（１）。
【請求項９】
前記回転調整機構（３９）は、前記アーム支持体（４）を３６０度回転させ得ることを特徴とする請求項１〜８のいずれか１項に記載の肘掛け（１）。
【請求項１０】
前記アーム支持体（４）は、ロック要素を使用することによって、そのノーマル位置において固定され得ることを特徴とする請求項１〜９のいずれか１項に記載の肘掛け（１）。
【発明の詳細な説明】
【技術分野】
【０００１】
本発明は、好ましくは、高さ調整自在の肘掛け支柱および前記肘掛け支柱に位置決めされるアーム支持体を有する、特にオフィス椅子用の肘掛けに関する。
【背景技術】
【０００２】
このタイプの肘掛けは、本出願人によって出願されたドイツ特許出願の公開番号ＤＥ−Ａ１−１０１２５９９６から、知られている。そこで記述されている肘掛けは、その長さおよび回転に関して調整することが可能である。特に、狭い肘掛けの基本位置が要求される場合、例えば、座席が、アーム支持体の内側サイズより広い場合、そこで記述されている肘掛け用の個々の設定オプションは、限界にぶつかる。
【発明の開示】
【０００３】
本発明の課題は、したがって、このタイプの肘掛けの操作を向上させることである。この課題は、請求項１に係る肘掛けによって、特に単純な構成のデザインにおいて達成される。このデザインによると、回転、長手方向および横方向調整機構を有する多機能ベアリングヘッドが提供される。
【０００４】
知られている回転および長手方向調整に加えて、本発明によれば、肘掛けの横方向調整が可能である。
【０００５】
本発明の有利な実施の形態は、従属項において記載されている。
【０００６】
単純な構成を有し、組立てるのが容易であり、かつ、高信頼性の回転、長手方向および横方向調整を保証する本発明の実施の形態は、請求項２乃至１０において記述されている。
【０００７】
上記調整機構は、好ましくは、ロック機構であり（ｇｅｒａｓｔｅｒｔ）、したがって、特に、操作が容易および／または解除ボタンなしで使用可能である。換言すれば、アーム支持体の位置は、押圧することが必要である解除ボタンなしで変更することが可能である。その結果、肘掛けは、特に、ユーザフレンドリーである。
【０００８】
横方向調整機構は、好ましくは、位置が固定されたプラットホーム部を有し、当該プラットホーム部は、プラットホーム部に関して横方向に移動する支持要素と連動して作用する。本発明のさらに別の実施の形態において、解除ボタンなしで作動可能なロック機構を実現させるために、プラットホーム部および支持要素は、互いに連動して作用するロック要素を有する。
【０００９】
多機能ベアリングヘッドは、好ましくは、異なる機能レベルにおいて組み立てられており、各々のケースにおいて、下位の機能レベルが、上位の機能レベルをサポートしている。本発明の特に好ましい実施の形態によると、横方向調整機構のための支持要素は、長手方向調整機構の全体を支持し、一方、回転調整機構は、同様に、長手方向調整機構によって支持され、あるいは、後者に一体化される。
【００１０】
本発明のさらに別の実施の形態において、長手方向調整機構は、リニアスライドガイドを有する。これは、ベアリングブロックが挿入される長手方向ガイドフレームを有するように、好ましくは、デザインされている。ところで一方、このベアリングブロックは、好ましくは、回転調整機構を支持しており、当該回転調整機構を介し、アーム支持体が多機能ベアリングヘッドに連結されている。
【００１１】
回転調整機構が、アーム支持体を３６０度回転させることができる場合、アーム支持体の特に柔軟な調整が可能である。アーム支持体が非対称に形成され、その長手方向側面が異なる長さに延長する場合に、これは特に適用される。アーム支持体の横方向調整と関連し、アーム支持体を完全に回転させ得ることは、アーム支持体間の内側サイズを、特に大きく調整することを可能にする。
【００１２】
本発明のさらに別の実施の形態において、アーム支持体は、ロック要素を使用することで、そのノーマル位置に固定することが可能である。これは、ボタンの押圧によってアンロックされた後においてのみ、アーム支持体が曲がる（Ｖｅｒｄｒｅｈｅｎ）ことを可能にすることによって、好ましくは、達成される。これによって、ユーザに快適な支持体位置が提供されるように、肘掛けが常に前方を指し示すことが、保障される。
【００１３】
本発明は、図面を参照して説明される具体例としての実施の形態によって、以下において、さらに詳細に説明される。
【発明を実施するための最良の形態】
【００１４】
図１は、肘掛けの分解斜視図、
図２は、肘掛けのさらに別の分解斜視図、
図３は、長手方向における肘掛けの断面図、
図４は、図３の線ＩＶ−ＩＶに関する横方向における肘掛けの断面図、および、
図５は、支持要素を有する長手方向ガイドフレームの背面の斜視図である。
【００１５】
肘掛け１は、高さ調整自在かつ特に伸縮自在式（ｔｅｌｅｓｋｏｐａｒｔｉｇ）に組立てられた肘掛け支柱２を有し、肘掛け支柱２の上端には、多機能ベアリングヘッド３が配置されている。これは、アーム支持体４を支持している。アーム支持体４は、垂直方向の回転軸５を中心に回転可能であり、かつ、長手方向６および横方向７の両方に移動できるように、ベアリングヘッド３に保持されている。
【００１６】
肘掛け支柱２の垂直方向サイドは、ガイドホルダーとして形成されている。肘掛け支柱２の外側スリーブ８は、垂直方向９に移動して案内される。ガイドホルダーには、高さ調整自在の制止装置（不図示）が含まれている。肘掛け支柱２の垂直方向サイドに接して形成される水平方向サイド（不図示）は、肘掛け１を、オフィス椅子あるいは類似物の基部に固定するために使用される。
【００１７】
肘掛け支柱２の上端部において、外側スリーブ８が、実際の支柱部に対し、外に向かって延長しており、したがって、多機能ベアリングヘッド３のための基部１０を形成している。この基部１０は、上部が開口しており、その開口部１１は、多機能ベアリングヘッド３の蓋型の基部プレート１２によって閉鎖される。プラスチック材料から形成される基部プレート１２は、複数の締付けねじ１３を使用して、肘掛け支柱２に固定される。
【００１８】
肘掛け１の高さ調整のために、操作レバーが提供されている。操作レバーの操作端部（不図示）は、基部１０の外側に向かって開口している開口部１４を越えて延長している。高さ調整のための機構の可能なデザインは、公報ＤＥ−Ａ１−１０１２５９９６から得ることができる。しかし、基本的に、高さ調整のためにその他の技術を、利用することも可能である。
【００１９】
横方向調整機構１６は、基部プレート１２に配置される。基部プレート１２は、ロックプレート１７の形態を取るプラットホーム部、および、横方向７に移動可能にそれに固定される支持要素１８から、概して構成されている。支持要素１８は、３つのガイドチャネル部１９を有する。ガイドチャネル部１９は、互いに一定の距離を置いて配置され、三角形状にオフセットされ、かつ、横方向７に延長している。これらのガイドチャネル部１９の各々は、ボルトタイプの固定部材２０が割り当てられている。そしてさらに、固定部材２０の各々は、リング状のスライド要素２１を備えており、ロックプレート１７が多機能ベアリングヘッド３の基部プレート１２に固定され、かつ、それと同時に、支持要素１８の横方向調整を可能にするように、ガイドチャネル部１９に挿入される。取り付けの最終位置において、スライド要素２１は、固定部材２０の縁部に密着しており、かつ、ガイドチャネル部１９の内側の周囲を延長するガイドグルーブ部１５によって支持されている。固定部材２０は、ガイドチャネル部１９およびロックプレート１７における対応する保持手段（Ａｕｆｎａｈｍｅｎ）穴部２２を介して導かれ、３つの支持要素２３に係合されるねじ山と連動して作用し、支持要素２３は、ロックプレート１７の支持体ピースに向かって、基部プレート１２から上方へドーム状に延長している。
【００２０】
支持要素１８に面するロックプレート１７の上面２４に、多くのロック段状部２６が形成されており、ロック段状部２６は、凹部２５に、横方向７かつ交互に配置されている。ロール状のロック制止要素２７は、ロックプレート１７と支持要素１８の間に、設けられており、エラストマブロック２８の形態の取るばね要素によって押込まれ、また、ロック段状部２６と連動して作用する。そしてさらに、エラストマブロック２８は、支持要素１８の下面３１にある対応保持手段２９に配置されている。換言すれば、支持要素１８の横方向調整によって、ロック制止要素２６は、解除ボタンあるいは類似物を作動させることなく、かつ、エラストマブロック２８の抵抗に逆らいかつ、エラストマブロック２８が変形した状態で、１つのロック段状部２６から次のロック段状部２６に移動する。そしてさらに、ロック段状部２６は、好ましくは、両側に同一の中間傾斜（Ａｎｌａｕｆｓｃｈｒａｅｇｅｎ）が設けられており、前方および後方運動の両方が、同一の力の量を使用して、達成すること可能である。
【００２１】
ロックプレート１７は、好ましくは、プラスチック材料から形成されており、ロック段状部２６は、ロックプレート１７の一体化部品として、製造工程において、形成される。
【００２２】
支持要素１８は、好ましくは、アルミニウムから形成されており、その上面３２に、内側に配置されるねじ山を備えた固定ドーム状部材３３を有する。これは、以下において説明される方法で、回転および長手方向調整機構を、横方向調整機構１６に取り付けるために使用される。
【００２３】
長手方向調整機構３５のための長手方向ガイドフレーム３４は、支持要素１８に直接配置され、かつ、アーム支持体４の基部要素３６のための支持体として機能する。基本的には、長手方向ガイドフレーム３４の全長に渡って延長しているガイドチャンネル部３７に、回転調整機構３９のためのベアリングブロック３８が、挿入されている。そしてさらに、ベアリングブロック３８は、長手方向ガイドフレーム３４の両側を長手方向６に延長しているガイドフランク４０、および、ベアリングブロック３８上の対応している対応ガイドフランク４１によって、長手方向に案内される。
【００２４】
横方向７における動き補償（ｓｐｉｅｌａｕｓｇｌｅｉｃｈ）のために、ゴム等の弾性材料から形成される２対のばね要素が、ベアリングブロック下面４２に設けられている。ばね要素対３０，３０’の１つが、一例として、示されている。個々のばね要素は、取り付けられていない場合において円形状断面を有しており、ベアリングブロック３８上のオーバル状の保持手段４３に、緊張状態で、挿入される。そしてさらに、それらは、ロック凹部４４に接する外側ジャケット表面を有しおり、ロック凹部４４は、長手方向ガイドフレーム３４のガイドフランク４０に配置され、かつ、基本的にガイドチャンネル部３７の全長に渡って延長している。取り付けられた状態では、ばね要素の外径に比較し、保持手段４３の長半軸は、より大きく、保持手段４３の短半軸は、より小さい。そしてさらに、ロック凹部４４間の距離は、４つのばね要素の全てが、常にロック凹部４４に配置されるように選択される。
【００２５】
ばね要素は、パイプ状の短いピースの形態を取っており、同一の内径を有する。ばね要素対の２つのばね要素３０、３０’は、それらの開口部を使用し、円形状断面を有する保持円柱部４６、４６’に取り付けられる。そしてさらに、ばね要素対の一方のばね要素３０は、ばね要素の内径に対応する断面を有する保持円柱部４６に割り当てられ、また、同時に、ばね要素対の他方のばね要素３０’は、かなりより小さい断面を有する保持円柱部４６’に割り当てられる。その結果、ベアリングブロック３８が長手方向６に移動する場合、より小さい直径を有する保持円柱部４６’に割り当てられるばね要素３０’は、変形させられる一方で、対応している第２のばね要素３０は、ほとんど変形しないままである。そしてさらに、スライド方向７において、異なる直径を有する保持円柱部４６、４６’は、互いに交替する。これは、ばね要素３０、３０’が、ガイドフランク４０にあり、したがって、常に、動き補償を提供することを保証する。加えて、ロール形状のばね要素３０、３０’は、ロック凹部４４と連動して作用し、解除ボタンフリーのロック調整機構を形成しており、それによって、ベアリングブロックの前方および後方の両方の運動は、ロック凹部４４の同じデザインに基づいて、同じ量の力を必要とする。
【００２６】
ベアリングブロック３８は、その中央部に、基本的に円形状の保持手段凹部４７を有し、そこには、回転調整機構３９のためのロック機構（Ｒａｓｔｍｅｃｈａｎｉｓｍｕｓ）が、配置されている。円形状のロックディスク４８は、この目的のために提供されており、その下面４９には、放射状に配置されたロック段状部５０が設けられており、また、ベアリングブロック３８の保持手段凹部４７に、少なくとも部分的に配置されている。回転ロックを形成するために、保持手段凹部４７は、２つの凹部５１を有する。２つの凹部５１は、互いに反対側にあり、ベアリングブロック３８の長手方向かつ中央部を延長しており、また、スライドブロック（ｎｕｔｅｎｓｔｅｉｎ）５２の形態のロック要素を保持するために利用される。これらは、取り付けの際に凹部５１に挿入されるエラストマブロック５３の形態を取るばね要素によって、押込まれる、なお、凹部５１は、スライドブロック５２の後ろであり、上方が開口している。
【００２７】
ロックディスク４８は、中央の穴部５４を有し、穴部５４は、支持要素１８の固定ドーム状部材３３と連動して作用するため、ロックディスク４８の下面４９においては基本的に正方形状の形態を取っている。この目的のために、固定ドーム状部材３３は、穴部５４に挿入し得るように、その上部が基本的に正方形状断面を有する。穴部５４は、ねじ５５を保持するために利用され、ねじ５５によって、ロックディスク４８、ベアリングブロック３８および長手方向ガイドフレーム３４は、支持要素１８の固定ドーム状部材３３に、固定される。この目的のために、ベアリングブロック３８の保持手段凹部４７は、中央の円形状開口部５６を有する。同様に、長手方向６の調整のための対応ガイドチャンネル部５８は、長手方向ガイドフレーム３４のガイドフランク４０に連結しかつ固定ドーム状部材３３を保持する、長手方向調整機構３５のエンドプレート５７に、備えられている。
【００２８】
アーム支持体４の基部要素３６は、ねじ連結５９介し、長手方向調整機構３５の長手方向ガイドフレーム３４と連結される。長手方向ガイドフレーム３４のベアリングブロック３８を、長手方向６に関して可能な限り遠くに、移動させるために、ねじ連結５９のための凹部６１が、ベアリングブロック３８の側方部６０に、備えられている。
【００２９】
アーム支持体クッション６１は、スナップつまりロック連結６２を介し、基部要素３６に固定されている。多機能ベアリングヘッド３に関するアーム支持体４の長手方向および／または横方向移動のために、アーム支持体４のみが、保持されかつ対応して移動されることを必要とする。解除ボタンが長手方向および横方向調整のために設けられていないので、この操作は、最小限の労力によって達成することが可能である
長手方向側面６３、６３’が横方向７に関し異なる幅で延長するように、アーム支持体４が、非対称に形成されるので、アーム支持体４を１８０度回転させることによって、アーム支持体４間の特に可変の内側サイズを許容することができる。
【００３０】
本発明に係る多機能ベアリングヘッド３は、任意の肘掛け１と、特に肘掛け支柱２において高さを調整することが可能なタイプの肘掛けと、一緒に使用することが可能である。しかし、当然に、多機能ベアリングヘッド３は、高さ調整を有しない肘掛けのために使用することも可能である。
【００３１】
加えて、肘掛け４は、そのノーマル位置においてロック機構を有する。この目的のために、ボタン６４およびロックタペット（Ｒａｓｔｎａｓｅ）６５は、支持要素１８とロックプレート１７との間に、設けられており、図１Ａ、図２Ａおよび図５を参照のこと。ロックタペット６５は、貫入開口部７０、支持要素１８を貫通し、延長しており、ロックされている場合、エンドプレート５７におけるロック凹部６６，６７の一方に、到達する。ロック凹部６６，６７の位置によって定義され、かつ、ガイドチャンネル部５８に対して略平行であるそのノーマル位置においては、アーム支持体４は、オフィス椅子（不図示）の背もたれに対し略垂直に配置される。エンドプレート５７におけるロック凹部６６，６７の配置に基づいて、ノーマル位置は、当然、アーム支持体４が、互いに若干傾斜して立っているように、例えば、アーム支持体４の状態が、コンピュータキーボードを使用しているユーザの前腕の位置に対応するように、設定することが可能である。
【００３２】
ボタン６４は、好ましくはプラスチック材料から形成されており、詳細には、ボタン要素６８およびボタン要素６８の端部に形成される引抜きフィンガ（ａｕｓｌｅｎｋｆｉｎｇｅｒ）６９を有する。ボタン要素６８の反対側の端部において、支持要素１８におけるベアリングポイント７２を越えて、回転できるように、これは、支持される。引抜きフィンガ６９の端部に、くさび７３が単一構造として形成、特に、射出成形されている。ボタン６４が、解除方向７１に押圧される場合、ボタン要素６８は、ベアリングポイント７２を中心に回転し、引抜きフィンガ６９がロックタペット６５に向かって移動する。そしてさらに、引抜きフィンガ６９は、解除方向７１かつロックタペット６５に向かって、くさび７３のタペット（Ｎａｓｅ）を押圧し、ロックタペット６５は、この目的のために、くさび形状に適合し、かつ同様に傾斜した保持手段開口部７４を有する。くさび７３の中間傾斜７６が、保持手段開口部７４に挿入されることによって、ボタン６４が再び押圧されると、図５を参照し、ロックタペット６５は、直線的にロック凹部６５あるいは６６から、直線的に引き出される。換言すれば、アーム支持体４は、回転のために、解除される。図４を参照し、ロックプロセスが、解除方向７７におけるロックタペットの直線的な進入あるいは進出によって達成されているため、アーム支持体４の回転の際、ロックタペット６５がロック凹部から強制的に取外されることが防止される。
【００３３】
ボタン要素６８が押圧さると、ロックタペット６５は、支持要素１８の端部に対してロックタペット６５を支持しているばね要素７８のバネ力に逆らって移動し、したがって、意図的でないロック解除が防止される。
【００３４】
ロック凹部６６，６７が、ガイドチャンネル部５８の両側に設けられているので、次のロック位置までのアーム支持体４の１８０度回転が、可能である。留意すべきことは、ガイド溝としてのロック凹部６６，６７の形成によって、ロック状態においても、アーム支持体４が長手方向６に移動できることを、保障していることである。横方向７の移動は、当然、同様にいつでも可能である。もちろん、本発明は、説明された上記ロック機構を有せずに、使用することも可能である。そして、解除ボタンフリーの回転、長手方向および横方向調整機構３９，３５，１６が設けられている。
【００３５】
本発明についての基本的な観念および本明細書において説明される本発明の実施の形態が適用される場合、当業者は、さらには詳細に説明できなかった、さらに多くの実施の形態が可能であることを理解するだろう。留意すべきことは、本明細書、請求の範囲および図面において表されている全ての特徴は、個々の場合においても、互いに任意の組み合わせの場合においても、本発明にとって重要である。
【００３６】
参照番号の一覧
１  肘掛け
２  肘掛け支柱
３  多機能ベアリングヘッド
４  アーム支持体
５  回転軸
６  長手方向
７  横方向
８  外側スリーブ
９  垂直方向
１０  基部
１１  開口部
１２  基部プレート
１３  固定ねじ
１４  開口部
１５  フリー
１６  横方向調整機構
１７  ロックプレート
１８  支持要素
１９  ガイドチャンネル部
２０  固定部材
２１  スライド要素
２２  保持手段穴部
２３  支持要素
２４  上面
２５  凹部
２６  ロック段状部
２７  ロック制止要素
２８  エラストマブロック
２９  保持手段
３０  ばね要素
３１  下面
３２  上面
３３  固定ドーム状部材
３４  長手方向ガイドフレーム
３５  長手方向調整機構
３６  基部要素
３７  ガイドチャンネル部
３８  ベアリングブロック
３９  回転調整機構
４０  ガイドフランク
４１  対応ガイドフランク
４２  ベアリングブロック下面
４３  保持手段
４４  ロック凹部
４５  フリー
４６  保持円柱部
４７  保持手段凹部
４８  ロックディスク
４９  下面
５０  ロック段状部
５１  凹部
５２  スライドブロック
５３  エラストマブロック
５４  穴部
５５  保持ねじ
５６  開口部
５７  エンドプレート
５８  ガイドチャンネル部
５９  ねじ連結
６０  側方部
６１  アーム支持体クッション
６２  スナップ連結
６３  長手方向側面
６４  ボタン
６５  ロックタペット
６６  ロック凹部
６７  ロック凹部
６８  ボタン要素
６９  引抜きフィンガ
７０  貫入開口部
７１  解除方向
７２  ベアリングポイント
７３  くさび
７４  保持手段開口部
７５  タペット
７６  中間傾斜
７７  ロック解除方向
７８  ばね要素。
【図面の簡単な説明】
【００３７】
【図１Ａ】肘掛けの分解斜視図である。
【図１Ｂ】肘掛けの分解斜視図である。
【図２Ａ】肘掛けのさらに別の分解斜視図である。
【図２Ａ】肘掛けのさらに別の分解斜視図である。
【図３】長手方向における肘掛けの断面図である。
【図４】図３の線ＩＶ−ＩＶに関する横方向における肘掛けの断面図である。
【図５】支持要素を有する長手方向ガイドフレームの背面の斜視図である。
【図１Ａ】
2008535595.tif 000003
【図１Ｂ】
2008535595.tif 000004
【図２Ａ】
2008535595.tif 000005
【図２Ｂ】
2008535595.tif 000006
【図３】
2008535595.tif 000007
【図４】
2008535595.tif 000008
【図５】
2008535595.tif 000009
【手続補正書】
【提出日】平成18年9月26日(2006.9.26)
【手続補正１】
【補正対象書類名】特許請求の範囲
【補正対象項目名】全文
【補正方法】変更
【補正の内容】
【特許請求の範囲】
【請求項１】
好ましくは、高さ調整自在の肘掛け支柱（２）および前記肘掛け支柱（２）に位置決めされるアーム支持体（４）を有し、また、前記肘掛け支柱（２）に配置され、かつ、前記アーム支持体（４）のための回転、長手方向および横方向調整機構（３９，３５，１６）を有する多機能ベアリングヘッドを有する、特にオフィス椅子用の肘掛け（１）であって、
前記回転調整機構（３９）は、前記アーム支持体（４）を３６０度回転させ得る
ことを特徴とする肘掛け（１）。
【請求項２】
前記回転および／または長手方向および／または横方向調整機構は、ロック機構であることを特徴とする請求項１に記載の肘掛け（１）。
【請求項３】
前記回転および／または長手方向および／または横方向調整機構は、解除ボタンフリーであることを特徴とする請求項１に記載の肘掛け（１）。
【請求項４】
前記横方向調整機構（１６）は、プラットホーム部（１７）および前記プラットホーム部（１７）に対して横方向に移動する支持要素（１８）を有することを特徴とする請求項１に記載の肘掛け（１）。
【請求項５】
前記長手方向調整機構（３５）を支持する支持要素（１８）を有することを特徴とする請求項４に記載の肘掛け（１）。
【請求項６】
前記長手方向調整機構（３５）は、リニアスライドガイド（３４，３８）を有することを特徴とする請求項１に記載の肘掛け（１）。
【請求項７】
前記リニアスライドガイド（３４，３８）は、ベアリングブロック（３８）が配置される長手方向ガイドフレーム（３４）を有することを特徴とする請求項６に記載の肘掛け（１）。
【請求項８】
前記回転調整機構（３９）は、前記ベアリングブロック（３８）に配置されるロック機構（４８，５２）を有することを特徴とする請求項７に記載の肘掛け（１）。
【請求項９】
前記アーム支持体（４）は、ロック要素を使用することによって、そのノーマル位置において固定され得ることを特徴とする請求項１に記載の肘掛け（１）。
【国際調査報告】
2008535595.tif 000010
2008535595.tif 000011
2008535595.tif 000012
2008535595.tif 000013
2008535595.tif 000014
2008535595.tif 000015